(57)【要約】【課題】人間の視覚特性に追従させた高品質な画像を表示することが可能な表示パネルの駆動方法を提供することを目的とする。【解決手段】入力映像信号に応じた画像を表示する表示パネルと視聴者との間の視聴距離を測定し、かかる視聴距離に応じて、入力映像信号に基づく各画素毎の輝度レベルを調整する。【選択図】図４
2009122506.tif 000002
【特許請求の範囲】
【請求項１】
表示パネルの各画素を入力映像信号に応じて選択的に発光させることにより階調表示を行う表示パネルの駆動方法であって、
前記入力映像信号によって表されるフレーム単位の輝度分布における各輝度レベル毎の画素の頻度を表す輝度頻度データを生成し、
前記輝度頻度データによって表される各輝度レベル毎の前記頻度を輝度レベル順に累積することにより各輝度レベル毎の累積頻度を表す累積輝度頻度データを生成し、
前記表示パネルとその前方の視聴者との間の距離を視聴距離として測定し、
前記視聴距離に応じて前記累積輝度頻度データによって表される各輝度レベル毎の前記累積頻度を補正することにより補正累積輝度頻度データを生成し、
前記補正累積輝度頻度データに基づいて、前記入力映像信号における各画素毎の輝度レベルを調整することを特徴とする表示パネルの駆動方法。
【請求項２】
前記累積輝度頻度データによって表される各輝度レベル毎の前記累積頻度の系列を、前記視聴距離に応じた分だけ、
累積頻度＝［(ＰH−ＰL)／LMMAX］・LM＋ＰL
ＰH：前記累積輝度頻度データによって表される最高の累積頻度
ＰL：前記累積輝度頻度データによって表される最低の累積頻度
LMMAX：前記累積輝度頻度データにおける最大輝度レベル
LM：輝度レベル（０〜LMMAX）
にて各輝度レベル毎の累積頻度が表される１次直線累積輝度頻度系列に近づけるべき補正を前記累積輝度頻度データに施すことにより前記補正累積輝度頻度データを生成することを特徴とする請求項１記載の表示パネルの駆動方法。
【請求項３】
前記累積輝度頻度データによって表される各輝度レベル毎の前記累積頻度が前記１次直線累積輝度頻度系列によって表される各輝度レベル毎の前記累積頻度よりも高い場合には、前記累積輝度頻度データによって表される各輝度レベル毎の前記累積頻度を低下させるべき補正を行う一方、前記累積輝度頻度データによって表される各輝度レベル毎の前記累積頻度が前記１次直線累積輝度頻度系列によって表される各輝度レベル毎の前記累積頻度よりも低い場合には、前記累積輝度頻度データによって表される各輝度レベル毎の前記累積頻度を高めるべき補正を行うことを特徴とする請求項２記載の表示パネルの駆動方法。
【請求項４】
表示パネルの各画素を入力映像信号に応じて選択的に発光させることにより階調表示を行う表示パネルの駆動方法であって、
前記入力映像信号によって表されるフレーム単位の輝度分布における各輝度レベル毎の画素の頻度を表す輝度頻度データを生成し、
前記輝度頻度データによって表される各輝度レベル毎の前記頻度を輝度レベル順に累積することにより各輝度レベル毎の累積頻度を表す累積輝度頻度データを生成し、
前記表示パネルとその前方の視聴者との間の距離を視聴距離として測定し、
前記累積輝度頻度データによって表される各輝度レベル毎の前記累積頻度各々の内で最大の累積頻度よりも小であり且つ前記最大の累積頻度の９０パーセント以上の値を有する所定の第１累積頻度に対応した輝度レベルを実質ピーク輝度レベルとして検出し、
前記実質ピーク輝度レベル及び前記視聴距離に基づいて補正係数を算出し、
前記補正係数に基づいて、前記入力映像信号によって表される前記画素毎の輝度レベルを調整することを特徴とする表示パネルの駆動方法。
【請求項５】
前記視聴距離が大きいほど、前記画素毎の輝度レベルを高くすべき調整を促す前記補正係数が算出されることを特徴とする請求項４に記載の表示パネルの駆動方法。
【請求項６】
前記累積輝度頻度データによって表される各輝度レベル毎の前記累積頻度各々の内で前記第１累積頻度よりも小なる所定の第２累積頻度に対応した輝度レベルを変曲点輝度レベルとして検出し、
前記入力映像信号によって表される前記画素毎の輝度レベルの内で前記変曲点輝度レベル以上の輝度レベルに対してのみ、前記補正係数に基づく輝度レベルの調整を行うことを特徴とする請求項４に記載の表示パネルの駆動方法。
【請求項７】
表示パネルの各画素を入力映像信号に応じて選択的に発光させることにより階調表示を行う表示パネルの駆動方法であって、
前記入力映像信号によって表されるフレーム単位の輝度分布における各輝度レベル毎の画素の頻度を表す輝度頻度データを生成し、
前記輝度頻度データによって表される各輝度レベル毎の前記頻度を輝度レベル順に累積することにより各輝度レベル毎の累積頻度を表す累積輝度頻度データを生成し、
前記表示パネルとその前方の視聴者との間の距離を視聴距離として測定し、
前記累積輝度頻度データによって表される各輝度レベル毎の前記累積頻度各々の内で最低の累積頻度よりも大であり且つ最大の累積頻度の１０パーセント以下の値を有する所定の第１累積頻度に対応した輝度レベルを実質ボトム輝度レベルとして検出し、
前記実質ボトム輝度レベル及び前記視聴距離に基づいて補正係数を算出し、
前記補正係数に基づいて、前記入力映像信号によって表される前記画素毎の輝度レベルを調整することを特徴とする表示パネルの駆動方法。
【請求項８】
前記視聴距離が大きいほど、前記画素毎の輝度レベルを低くすべき調整を促す前記補正係数が算出されることを特徴とする請求項７に記載の表示パネルの駆動方法。
【請求項９】
前記累積輝度頻度データによって表される各輝度レベル毎の前記累積頻度各々の内で前記第１累積頻度よりも大なる所定の第２累積頻度に対応した輝度レベルを変曲点輝度レベルとして検出し、
前記入力映像信号によって表される前記画素毎の輝度レベルの内で前記変曲点輝度レベル以下の輝度レベルに対してのみ、前記補正係数に基づく輝度レベルの調整を行うことを特徴とする請求項７に記載の表示パネルの駆動方法。
【請求項１０】
表示パネルの表示ライン各々に配置されている各画素を入力映像信号に応じて選択的に発光させることにより階調表示を行う表示パネルの駆動方法であって、
前記入力映像信号に基づいて前記画素各々による発光時の負荷量を前記表示ライン毎に算出し、
前記表示パネルとその前方の視聴者との間の距離を視聴距離として測定し、
前記表示ライン毎の前記負荷量及び前記視聴距離に基づいて補正係数を算出し、
前記補正係数に基づいて、前記入力映像信号によって表される前記画素毎の輝度レベルを調整することを特徴とする表示パネルの駆動方法。
【請求項１１】
前記視聴距離が小なるほど、前記画素毎の輝度レベルを低くすべき調整を促す前記補正係数が算出されることを特徴とする請求項１０に記載の表示パネルの駆動方法。
【請求項１２】
表示パネルの各画素を入力映像信号に応じて選択的に発光させることにより階調表示を行う表示パネルの駆動方法であって、
前記入力映像信号によって表されるフレーム単位の輝度分布における各輝度レベル毎の画素の頻度を表す輝度頻度データを生成し、
前記輝度頻度データによって表される各輝度レベル毎の前記頻度を輝度レベル順に累積することにより各輝度レベル毎の累積頻度を表す累積輝度頻度データを生成し、
前記表示パネルとその前方の視聴者との間の距離を視聴距離として測定すると共に前記表示パネルが設置されている空間の明るさを環境照度として検出し、
前記累積輝度頻度データによって表される各輝度レベル毎の前記累積頻度各々の内で最大の累積頻度よりも小であり且つ前記最大の累積頻度の９０パーセント以上の値を有する所定の第１累積頻度に対応した輝度レベルを実質ピーク輝度レベルとして検出し、
前記入力映像信号によって示される画像１フレーム分毎の平均輝度に基づき前記表示パネルの表示画面から視覚される画面視覚輝度を求め、
前記視聴距離に基づく混合比にて前記環境照度及び前記画面視覚輝度を混合することにより視聴環境下において視覚される順応輝度を求め、
前記実質ピーク輝度レベルと前記順応輝度に基づいて補正係数を算出し、
前記補正係数に基づいて、前記入力映像信号によって表される前記画素毎の輝度レベルを調整することを特徴とする表示パネルの駆動方法。
【請求項１３】
前記順応輝度が大きいほど、前記画素毎の輝度レベルを高くすべき調整を促す前記補正係数が算出されることを特徴とする請求項１２に記載の表示パネルの駆動方法。
【請求項１４】
前記累積輝度頻度データによって表される各輝度レベル毎の前記累積頻度各々の内で前記第１累積頻度よりも大なる所定の第２累積頻度に対応した輝度レベルを変曲点輝度レベルとして検出し、
前記入力映像信号によって表される前記画素毎の輝度レベルの内で前記変曲点輝度レベル以下の輝度レベルに対してのみ、前記補正係数に基づく輝度レベルの調整を行うことを特徴とする請求項１２に記載の表示パネルの駆動方法。
【発明の詳細な説明】
【技術分野】
【０００１】
本発明は、入力映像信号に対応した画像を表示する表示パネルの駆動方法に関する。
【背景技術】
【０００２】
現在、薄型平面の表示パネルとしてプラズマディスプレイパネル（以下、ＰＤＰと称する）、あるいはエレクトロルミネセントディスプレイパネル（以下、ＥＬＤＰと称する）を搭載した表示装置が知られている。これらＰＤＰ及びＥＬＤＰにおいて各画素を担う発光素子は「点灯」及び「消灯」の２状態しかもたない。そこで、入力された映像信号に対応した中間調の輝度を得るべく、サブフィールド法を用いてＰＤＰ及びＥＬＤＰの如き表示パネルを階調駆動するようにしている。
【０００３】
サブフィールド法では、入力された映像信号における１フィールド表示期間を、夫々に輝度重みに対応した発光回数が割り当ててある複数のサブフィールドに分割する。ここで、表示パネルの各画素を入力映像信号に応じて各サブフィールド毎に「点灯」及び「消灯」状態の内の一方の状態に設定し、各サブフィールド毎に「点灯」状態にある画素をそのサブフィールドに割り当てられている発光回数だけ発光させる。かかる駆動方法によれば、１フィールド表示期間内の各サブフィールドで実行された発光回数の合計により入力映像信号に対応した中間調の輝度が表現される。
【０００４】
更に、近年、入力映像信号に基づき１画面毎に、各輝度毎の頻度を示す輝度頻度データを生成し、かかる輝度頻度データに基づいて全ての輝度領域を対象として、その頻度に応じてサブフィールドの数を調整するようにした駆動方法が提案された（例えば特許文献１参照）。かかる駆動方法により、頻度が大なる輝度を含む輝度区分領域ほどその輝度区分領域に割り当てるべきサブフィールドの数を多くすれば、入力映像信号に基づく画像の明るさに追従した良好な階調表現（滑らかな輝度変化）が為されるようになる。
【０００５】
しかしながら、このような駆動方法を採用して画像表示を行っても、高品質な画像が視覚されない場合があった。
【特許文献１】特開２００４−２４０１０３号公報
【発明の開示】
【発明が解決しようとする課題】
【０００６】
本発明は、視覚上において高品質な表示画像を提供することが可能な表示パネルの駆動方法を提供することを目的とする。
【課題を解決するための手段】
【０００７】
請求項１記載による表示パネルの駆動方法は、表示パネルの各画素を入力映像信号に応じて選択的に発光させることにより階調表示を行う表示パネルの駆動方法であって、前記入力映像信号によって表されるフレーム単位の輝度分布における各輝度レベル毎の画素の頻度を表す輝度頻度データを生成し、前記輝度頻度データによって表される各輝度レベル毎の前記頻度を輝度レベル順に累積することにより各輝度レベル毎の累積頻度を表す累積輝度頻度データを生成し、前記表示パネルとその前方の視聴者との間の距離を視聴距離として測定し、前記視聴距離に応じて前記累積輝度頻度データによって表される各輝度レベル毎の前記累積頻度を補正することにより補正累積輝度頻度データを生成し、前記補正累積輝度頻度データに基づいて、前記入力映像信号における各画素毎の輝度レベルを調整する。
【０００８】
又、請求項４記載による表示パネルの駆動方法は、表示パネルの各画素を入力映像信号に応じて選択的に発光させることにより階調表示を行う表示パネルの駆動方法であって、前記入力映像信号によって表されるフレーム単位の輝度分布における各輝度レベル毎の画素の頻度を表す輝度頻度データを生成し、前記輝度頻度データによって表される各輝度レベル毎の前記頻度を輝度レベル順に累積することにより各輝度レベル毎の累積頻度を表す累積輝度頻度データを生成し、前記表示パネルとその前方の視聴者との間の距離を視聴距離として測定し、前記累積輝度頻度データによって表される各輝度レベル毎の前記累積頻度各々の内で最大の累積頻度よりも小であり且つ前記最大の累積頻度の９０パーセント以上の値を有する所定の第１累積頻度に対応した輝度レベルを実質ピーク輝度レベルとして検出し、前記実質ピーク輝度レベル及び前記視聴距離に基づいて補正係数を算出し、前記補正係数に基づいて、前記入力映像信号によって表される前記画素毎の輝度レベルを調整する。
【０００９】
又、請求項７記載による表示パネルの駆動方法は、表示パネルの各画素を入力映像信号に応じて選択的に発光させることにより階調表示を行う表示パネルの駆動方法であって、前記入力映像信号によって表されるフレーム単位の輝度分布における各輝度レベル毎の画素の頻度を表す輝度頻度データを生成し、前記輝度頻度データによって表される各輝度レベル毎の前記頻度を輝度レベル順に累積することにより各輝度レベル毎の累積頻度を表す累積輝度頻度データを生成し、前記表示パネルとその前方の視聴者との間の距離を視聴距離として測定し、前記累積輝度頻度データによって表される各輝度レベル毎の前記累積頻度各々の内で最低の累積頻度よりも大であり且つ最大の累積頻度の１０パーセント以下の値を有する所定の第１累積頻度に対応した輝度レベルを実質ボトム輝度レベルとして検出し、前記実質ボトム輝度レベル及び前記視聴距離に基づいて補正係数を算出し、前記補正係数に基づいて、前記入力映像信号によって表される前記画素毎の輝度レベルを調整する。
【００１０】
又、請求項１０記載による表示パネルの駆動方法は、表示パネルの表示ライン各々に配置されている各画素を入力映像信号に応じて選択的に発光させることにより階調表示を行う表示パネルの駆動方法であって、前記入力映像信号に基づいて前記画素各々による発光時の負荷量を前記表示ライン毎に算出し、前記表示パネルとその前方の視聴者との間の距離を視聴距離として測定し、前記表示ライン毎の前記負荷量及び前記視聴距離に基づいて補正係数を算出し、前記補正係数に基づいて、前記入力映像信号によって表される前記画素毎の輝度レベルを調整する。
【００１１】
又、請求項１２記載による表示パネルの駆動方法は、表示パネルの各画素を入力映像信号に応じて選択的に発光させることにより階調表示を行う表示パネルの駆動方法であって、前記入力映像信号によって表されるフレーム単位の輝度分布における各輝度レベル毎の画素の頻度を表す輝度頻度データを生成し、前記輝度頻度データによって表される各輝度レベル毎の前記頻度を輝度レベル順に累積することにより各輝度レベル毎の累積頻度を表す累積輝度頻度データを生成し、前記表示パネルとその前方の視聴者との間の距離を視聴距離として測定すると共に前記表示パネルが設置されている空間の明るさを環境照度として検出し、前記累積輝度頻度データによって表される各輝度レベル毎の前記累積頻度各々の内で最大の累積頻度よりも小であり且つ前記最大の累積頻度の９０パーセント以上の値を有する所定の第１累積頻度に対応した輝度レベルを実質ピーク輝度レベルとして検出し、前記入力映像信号によって示される画像１フレーム分毎の平均輝度に基づき前記表示パネルの表示画面から視覚される画面視覚輝度を求め、前記視聴距離に基づく混合比にて前記環境照度及び前記画面視覚輝度を混合することにより視聴環境下において視覚される順応輝度を求め、前記実質ピーク輝度レベルと前記順応輝度に基づいて補正係数を算出し、前記補正係数に基づいて、前記入力映像信号によって表される前記画素毎の輝度レベルを調整する。
【発明を実施するための最良の形態】
【００１２】
入力映像信号に応じた画像を表示する表示パネルと視聴者との間の視聴距離を測定し、かかる視聴距離に基づき、この視聴環境下において視覚上最良となる表示画像が提供されるように、入力映像信号に基づく各画素毎の輝度レベルを補正する。ここで、かかる輝度レベル補正を実施するにあたり、本発明の第１の特徴による表示パネルの駆動方法では、先ず、入力映像信号によって表されるフレーム単位の輝度分布における各輝度レベル毎の画素の頻度を輝度レベル順に累積することにより各輝度レベル毎の累積頻度を表す累積輝度頻度データを生成する。更に、この累積輝度頻度データによって表される各輝度レベル毎の累積頻度を上記視聴距離に応じて補正することにより補正累積輝度頻度データを生成する。そして、この補正累積輝度頻度データに基づいて、入力映像信号における各画素毎の輝度レベルを調整する。
【００１３】
又、本発明の第２の特徴による表示パネルの駆動方法では、先ず、上記累積輝度頻度データによって表される各輝度レベル毎の前記累積頻度各々の内で最大の累積頻度よりも僅かに小さい所定の累積頻度に対応した輝度レベルを実質ピーク輝度レベルとして検出する。そして、この実質ピーク輝度レベル及び視聴距離に基づいて、入力映像信号によって表される画素毎の輝度レベルを調整する。
【００１４】
又、本発明の第３の特徴による表示パネルの駆動方法では、先ず、上記累積輝度頻度データによって表される各輝度レベル毎の前記累積頻度各々の内で最低の累積頻度よりも僅かに大きい所定の累積頻度に対応した輝度レベルを実質ボトム輝度レベルとして検出する。そして、この実質ボトム輝度レベル及び視聴距離に基づいて、入力映像信号によって表される画素毎の輝度レベルを調整する。
【００１５】
上述した如き、本発明の第１〜第３の特徴による表示パネル駆動方法に従った輝度レベル調整により、視聴距離が大なるほどコントラストの強調度合いを高めるべき補正を入力映像信号に対して施すのである。これにより、視聴距離が遠くなるほどコントラスト感に敏感になる一方、視聴距離が近い場合には、コントラスト感よりも輝度階調の表現能力に敏感になるという人間の視覚特性に追従させた良好な表示画像を提供することが可能となる。
【００１６】
又、本発明の第４の特徴による表示パネルの駆動方法は、先ず、入力映像信号に基づいて画素各々による発光時の負荷量を表示ライン毎に算出する。そして、この表示ライン毎の負荷量及び視聴距離に基づいて、入力映像信号によって表される画素毎の輝度レベルを調整する。よって、かかる輝度レベル調整によれば、視聴距離が近い場合は表示画像が比較的明るく見えるので画面均一性の不足が目立つ一方、視聴距離が遠い場合は表示が暗く感じられてしまうという人間の視覚特性に追従させた良好な表示画像を提供することが可能となる。
【００１７】
又、本発明の第５の特徴による表示パネルの駆動方法は、先ず、上述した如き視聴距離と共に、表示パネルが設置されている空間の明るさを環境照度として検出する。次に、入力映像信号によって示される画像１フレーム分毎の平均輝度に基づき表示パネルの表示画面から視覚される画面視覚輝度を求める。そして、視聴距離に基づく混合比にてこれら環境照度及び画面視覚輝度を混合することにより視聴環境下において視覚される順応輝度を求め、この順応輝度と上記実質ピーク輝度レベルとに基づいて、入力映像信号によって表される前記画素毎の輝度レベルを調整する。かかる輝度レベル調整によれば、順応輝度が高いが故に表示画像が全体的に暗く視覚されてしまう一方、順応輝度が低いが故に表示画像が眩しく感じられるという人間の視覚特性に追従させた良好な表示画像を提供することが可能となる。
【実施例１】
【００１８】
図１は、本発明に基づく駆動方法に従って、表示パネルとしてのプラズマディスプレイパネルの駆動を行うプラズマディスプレイ装置の構成を示す図である。
【００１９】
図１において、プラズマディスプレイパネルとしてのＰＤＰ１０は、放電ガスが封入されている放電空間を挟んで対向配置された前面透明基板及び背面基 板（図示せぬ）を備えている。前面透明基板上には２次元画面の横方向（水平方向）に夫々伸張して配列された行電極Ｘ1〜Ｘn及び行電極Ｙ1〜Ｙnが形成されている。これら行電極Ｘ1〜Ｘn及び行電極Ｙ1〜Ｙnは、夫々一対の行電極Ｘi及びＹi(ｉ：1〜n)にて、ＰＤＰ１０における第１〜第ｎ表示ラインを担っている。背面基板上には、行電極Ｘ1〜Ｘn及び行電極Ｙ1〜Ｙn各々と交叉するように、２次元表示画面の縦方向（垂直方向）に夫々伸張して配列された列電極Ｄ1〜Ｄmが形成されている。上記放電空間を含む各行電極対（Ｘ、Ｙ）と列電極Ｄとの交叉部に、画素としての放電セル（表示セル）Ｐが形成される構造となっている。すなわち、ＰＤＰ１０には、第１行・第１列の放電セルＰ(1,1)〜第ｎ行・第ｍ列の放電セルＰ(n,m)からなる（ｎ×ｍ）個の放電セルＰがマトリクス状に配列されているのである。
【００２０】
Ａ／Ｄ変換器１は、入力映像信号ＶＤを各画素（放電セルＰ）毎にその輝度レベルを例えば８ビットで表す画素データＤＤに変換して輝度補正回路２００に供給する。
【００２１】
視聴距離センサ２は、例えば図２に示す如きプラズマディスプレイ装置の表示面１１の周辺部、つまり画面枠１２の表面上に設置されている。視聴距離センサ２は、ＰＤＰ１０における表示画面と、この表示画面に表示された画像を鑑賞すべく表示画面の前方に存在する視聴者との間の距離（以下、視聴距離と称する）を検出しその距離を示す視聴距離信号Ｌeを輝度補正回路２００に供給する。視聴距離センサ２０は、例えば、熱線センサと超音波センサとから構成される。熱線センサは、表示画面の前方に存在する物体（床、壁、椅子等）又は人体から照射される遠赤外線の量を検出し、その検出量が所定量以上となる状態が一定期間継続した場合にのみ人体の存在を検知したことを示す人体検知信号を超音波センサに供給する。超音波センサは、この人体検知信号が供給されていない間において、少なくとも１度だけ表示画面の前方に向けて超音波を照射し、その反射波のパターンを非人体反射パターンとして記憶しておく。一方、上記人体検知信号が供給された際には、超音波センサは、表示画面の前方に向けて超音波を照射し、その反射波のパターン中から上記非人体反射パターンには存在しない反射波を人体反射波として抽出する。そして、超音波センサは、超音波の照射開始からこの人体反射が帰ってくるまでの遅延時間を測定し、かかる遅延時間に基づいて視聴距離を示す視聴距離信号Ｌeを算出するのである。尚、視聴距離センサ２では、人体を検知する為に熱線センサを用いているが、これに限定されるものではない。要するに、人体の如き放射波発生源から放出される何らかの固有の放射波を検知可能なセンサにより、ＰＤＰ１０の前方に存在する人体を検知すれば良いのである。また、この視聴距離センサ２としては、視聴位置にマイクを設置し、プラズマディスプレイ装置に設けられたスピーカーから発せられる音をこのマイクが集音することにより、スピーカーからマイクまでの音の到達時間を検出して、その検出結果に基づいて視聴距離を検出する構成を用いてもよい。
【００２２】
輝度補正回路２００は、視聴距離センサ２から供給された視聴距離信号Ｌe、及び１フレーム分の画素データＤＤによって示される輝度レベルに基づき、各画素毎の画素データＤＤに対して輝度補正処理を施す。そして、輝度補正回路２００は、この輝度補正処理によって得られた輝度補正画素データＰＤをＳＦデータ生成回路３に供給する。尚、輝度補正回路２００での詳細な動作については後述する。
【００２３】
ＳＦデータ生成回路３は、かかる輝度補正画素データＰＤに対し、先ず、誤差拡散処理及びディザ処理等からなる多階調化処理を施す。例えば、ＳＦデータ生成回路３は、輝度補正画素データＰＤの上位ビット群を表示データ、残りの下位ビット群を誤差データと捉える。ＳＦデータ生成回路３は、周辺画素各々に対応した画素データにおける上記誤差データを重み付け加算したものを、上記表示データに反映させることにより誤差拡散処理画素データを得る（誤差拡散処理）。次に、ＳＦデータ生成回路３は、互いに隣接する複数の画素からなる画素群毎に、各画素に対応した上記誤差拡散処理画素データに夫々、互いに異なる係数値からなるディザ係数を夫々割り当てて加算し、その加算結果中の所定の上位ビット群を多階調化画素データとして得る（ディザ処理）。次に、ＳＦデータ生成回路３は、上記多階調化画素データに基づき、図３に示す如きＮ個（Ｎ：整数）のサブフィールドＳＦ１〜ＳＦ（Ｎ）各々において、放電セルＰを点灯及び消灯モードの内のいずれの状態に設定するのかを各ビット毎に示すＳＦデータＧＤを生成する。ＳＦデータ生成回路３は、各画素毎のＳＦデータＧＤ各々を順次、ＳＦメモリ４に供給する。
【００２４】
ＳＦメモリ４は、各画素毎のＳＦデータＧＤの各々を順次書き込み、１フレーム分の書き込みが終了する度に、以下の如き読み出し動作を行う。すなわち、ＳＦメモリ４は、図３に示す如きサブフィールドＳＦ１〜ＳＦ（Ｎ）各々において、１フレーム分のＳＦデータＧＤ各々から、そのサブフィールドに対応したビット桁を分離して読み出し、夫々アドレスデータビットＤＢとしてアドレスドライバ６に供給する。
【００２５】
駆動制御回路２０は、図３に示す発光駆動シーケンスに従って、ＰＤＰ１０を駆動すべき各種駆動制御信号を、アドレスドライバ６、Ｘ電極ドライバ７及びＹ電極ドライバ８からなるパネルドライバに供給する。すなわち、駆動制御回路２０は、１フレーム又は１フィールド表示期間（以下、単位表示期間と称する）毎に、図３に示すサブフィールドＳＦ１〜ＳＦ（Ｎ）各々において、アドレス行程Ｗ及びサスティン行程Ｉに従った駆動を順次実施させるべき各種制御信号をパネルドライバに供給する。又、駆動制御回路２０は、先頭のサブフィールドＳＦ１に限り、アドレス行程Ｗに先立ち、リセット行程Ｒに従った駆動を実施させるべき各種制御信号をパネルドライバに供給する。パネルドライバ（アドレスドライバ６、Ｘ電極ドライバ７及びＹ電極ドライバ８）は、駆動制御回路２０から供給された各種制御信号に応じた駆動パルスを生成してＰＤＰ１０の列電極Ｄ、行電極Ｘ及びＹに供給する。
【００２６】
先ず、先頭のサブフィールドＳＦ１のリセット行程Ｒでは、Ｘ電極ドライバ７及びＹ電極ドライバ８が、リセットパルスを全ての行電極Ｘ1〜Ｘn及び行電極Ｙ1〜Ｙnに印加する。かかるリセットパルスの印加に応じて、全ての放電セルＰ内においてリセット放電が生起され、全放電セルＰ内には所定量の壁電荷が形成される。これにより、全ての放電セルＰは点灯モードの状態に初期化される。又、サブフィールドＳＦ１〜ＳＦ（Ｎ）各々のアドレス行程Ｗでは、アドレスドライバ６が、ＳＦメモリ４から供給されたアドレスデータビットＤＢの論理レベルに対応したパルス電圧を有する画素データパルスを生成する。例えば、アドレスドライバ６は、アドレスデータビットＤＢが論理レベル１である場合には高電圧、論理レベル０である場合には低電圧の画素データパルスを生成する。そして、アドレスドライバ６は、かかる画素データパルスを１表示ライン分（ｍ個）ずつの画素データパルス群として列電極Ｄ1〜Ｄmに印加する。更に、アドレス行程Ｗでは、Ｙ電極ドライバ８が、各画素データパルス群の印加タイミングと同一タイミングにて、走査パルスを行電極Ｙ1〜Ｙnへと順次印加して行く。この際、走査パルスが印加された行電極と、高電圧の画素データパルスが印加された列電極との交叉部の放電セルＰにのみ選択的に放電が生じ、その放電セルＰ内に残存していた壁電荷が消去される。つまり、壁電荷を失った放電セルＰは消灯モードに設定されるのである。一方、かかる放電が生起されなかった放電セルＰはその直前までの状態、つまり点灯モード又は消灯モードの状態を維持する。
【００２７】
サブフィールドＳＦ１〜ＳＦ(N)各々のサスティン行程Ｉでは、Ｘ電極ドライバ７及びＹ電極ドライバ８が、各サブフィールドの輝度重みに対応した回数分だけ、行電極Ｘ1〜Ｘn及びＹ1〜Ｙnに対して交互に繰り返しサスティンパルスを印加する。かかるサスティンパルスが印加される度に、壁電荷が残留したままとなっている放電セルＰ、すなわち点灯モードの状態にある放電セルＰがサスティン放電し、そのサスティン放電に伴う発光状態を維持する。
【００２８】
以上の如き駆動により、単位表示期間毎に、入力映像信号ＶＤによって示される輝度レベルに対応した数の分だけサスティン放電が繰り返し生起され、そのサスティン放電の総数に対応した輝度が視覚される。
【００２９】
ここで、図１に示されるプラズマディスプレイ装置では、使用環境に対応した良好な表示画像を提供すべく、視聴距離センサ２によって検出された視聴距離信号Ｌeに基づき、輝度補正回路２００が入力映像信号ＶＤに対して輝度補正処理を施すようにしている。
【００３０】
図４は、かかる輝度補正回路２００の構成の一例を示す図である。
【００３１】
図４において、輝度ヒストグラム処理回路２１は、上記画素データＤＤにて表現可能な輝度範囲である輝度レベル「０」〜「２５５」各々に対応付けされた記憶領域を備えており、各記憶領域には、その輝度レベルを表す画素データＤＤが供給された延べ回数、つまり頻度が記憶される。例えば、輝度ヒストグラム処理回路２１は、１つの画素（１つの放電セルＰに相当する）に対応した画素データＤＤが供給される度に、その画素データＤＤによって示される輝度レベルに対応した記憶領域に記憶されている数を「１」だけインクリメントする。ここで、１フレーム（又は１フィールド）分の画素データＤＤに対する上記処理が全て終了する度に、輝度ヒストグラム処理回路２１は、各記憶領域に記憶されている値、つまり頻度を読み出し、夫々を図５に示す如く輝度レベル「０」〜「２５５」各々に対応付けして表す輝度ヒストグラムデータＨid1として累積演算回路２２に供給する。
【００３２】
累積演算回路２２は、輝度ヒストグラムデータＨid1によって表される各輝度レベル「０」〜「２５５」各々毎の頻度を、低輝度に対応したものから（又は高輝度に対応したものから）順に累積加算する。ここで、累積演算回路２２は、１つの輝度レベルに対応した頻度を累算加算する度に得られる累算加算結果を輝度レベル「０」〜「２５５」各々に対応した累積頻度とする。例えば、累積演算回路２２は、先ず、輝度ヒストグラムデータＨid1によって表される輝度レベル「０」での頻度を輝度レベル「０」に対応した累積頻度とする。次に、累積演算回路２２は、この輝度レベル「０」に対応した累積頻度に、輝度レベル「１」での頻度を加算した加算結果を輝度レベル「１」に対応した累積頻度とする。次に、この輝度レベル「１」に対応した累積頻度に、輝度レベル「２」での頻度を加算した加算結果を輝度レベル「２」に対応した累積頻度とする。次に、この輝度レベル「２」に対応した累積頻度に、輝度レベル「３」での頻度を加算した加算結果を輝度レベル「３」に対応した累積頻度とする。累積演算回路２２は、引き続き、上述した如き累積加算を順次実行することにより、輝度レベル「４」〜「２５５」に夫々対応した累積頻度を算出する。尚、最高輝度レベル「２５５」に対応した累積頻度は、必ずＰＤＰ１０の全画素数である（ｎ・ｍ）となる。累積演算回路２２は、これら輝度レベル「０」〜「２５５」各々と各累積頻度とを対応付けした輝度−累積頻度曲線を表す図６に示す如き累積輝度頻度系列ＡＨid1を、平坦化処理回路２３及び輝度調整回路２４に供給する。
【００３３】
平坦化量設定回路２５は、視聴距離信号Ｌeによって示される視聴距離を、図７に示す如き所定の変換関数ＣＨに従って、累積輝度頻度系列ＡＨid1によって表される輝度−累積頻度曲線を直線化させる（後述する）際の度合いを示す平坦化補正量Ｈisに変換し、これを平坦化処理回路２３に供給する。尚、かかる変換関数ＣＨによれば、視聴距離信号Ｌeによって示される視聴距離が大、つまり遠くなるほど平坦化補正量Ｈisは小さくなる。
【００３４】
平坦化処理回路２３は、図６に示す如き累積輝度頻度系列ＡＨid1によって表される輝度−累積頻度曲線に対して、上記平坦化補正量Ｈisが大なるほど、図６に示す如き１次直線累積輝度頻度系列ＦＨ（一点破線）に近づけるべき以下の如き処理を施して平坦化累積輝度頻度系列ＡＨid2を得る。尚、１次直線累積輝度頻度系列ＦＨとは、図６に示すように、最低輝度「０」に対応した累積頻度と、最高輝度「２５５」に対応した累積頻度とを直線で結ぶ１次直線上において想定される各輝度レベル毎の累積頻度の系列を表すものである。
【００３５】
つまり、１次直線累積輝度頻度系列ＦＨは、
累積頻度＝［(ＰH−ＰL)／LMMAX］・LM＋ＰL
ＰH：累積輝度頻度系列ＡＨid1によって表される最高の累積頻度
ＰL：累積輝度頻度系列ＡＨid1によって表される最低の累積頻度
LMMAX：累積輝度頻度系列ＡＨid1での最高輝度（２５５）
LM：輝度レベル（０〜２５５）
にて定義されるものである。
【００３６】
平坦化処理回路２３は、先ず、累積輝度頻度系列ＡＨid1によって表される各輝度レベル毎の累積頻度と、図６に示す如き１次直線累積輝度頻度系列ＦＨによって表される各輝度レベル毎の累積頻度とを夫々同一輝度に対応したもの同士で減算して得られた差分値の系列を、図８に示す如き累積頻度差分値系列ＳＫとして算出する。次に、平坦化処理回路２３は、累積頻度差分値系列ＳＫにおける負の値を有する累積頻度差分値に対しては、その値が小なるほど大なる係数を上記平坦化補正量Ｈisに乗算することにより各累積頻度差分値毎のシフト量ＳＳを求め、このシフト量ＳＳを累積頻度差分値に加算する。一方、累積頻度差分値系列ＳＫにおける正の値を有する累積頻度差分値に対しては、その値が小なるほど小なる係数を上記平坦化補正量Ｈisに乗算することにより各累積頻度差分値毎のシフト量ＳＳを求め、このシフト量ＳＳを累積頻度差分値から減算する。上述した如きシフト量ＳＳの加算及び減算処理により、平坦化処理回路２３は、図８に示す如き平坦化累積頻度差分値系列ＳＫH（一点鎖線にて示す）を求める。次に、平坦化処理回路２３は、この平坦化累積頻度差分値系列ＳＫHにて表される各輝度レベル毎の累積頻度差分値と、図６に示す如き１次直線累積輝度頻度系列ＦＨにて表される各輝度レベル毎の累積頻度とを夫々同一輝度に対応したもの同士で加算することにより、図６に示す如き平坦化累積輝度頻度系列ＡＨid2（破線にて示す）を生成して、輝度調整回路２４に供給する。
【００３７】
要するに、平坦化処理回路２３は、累積輝度頻度系列ＡＨid1にて表される各輝度レベル毎の累積頻度が図６に示す如き１次直線累積輝度頻度系列ＦＨにて示される累積頻度よりも高い場合には、これを低下させるべき係数（１未満）を、ＡＨid1における各輝度レベル毎の累積頻度各々に乗算する。この際、平坦化処理回路２３は、視聴距離（Ｌe）が大なるほど、その係数の値を大なる値に設定する。一方、累積輝度頻度系列ＡＨid1にて表される各輝度レベル毎の累積頻度が１次直線累積輝度頻度系列ＦＨにて示される累積頻度よりも低い場合には、平坦化処理回路２３は、これを高めるべき係数（１より大）を、ＡＨid1における各輝度レベル毎の累積頻度各々に乗算する。この際、平坦化処理回路２３は、視聴距離（Ｌe）が大なるほど、その係数の値を小なる値に設定する。
【００３８】
以上の如き処理によれば、視聴距離（Ｌe）が小なるほど、平坦化累積輝度頻度系列ＡＨid2によって表される輝度−累積頻度曲線が、図６に示す如き１次直線累積輝度頻度系列ＦＨに近づいた形態を有する平坦化累積輝度頻度系列ＡＨid2が得られる。
【００３９】
輝度調整回路２４は、画素データＤＤによって表される各画素（放電セルＰ）毎の輝度レベルに対して以下の如き輝度調整処理を施すことにより、輝度補正画素データＰＤを求めこれを図１に示す如きＳＦデータ生成回路３に供給する。
【００４０】
すなわち、輝度調整回路２４は、先ず、図６に示す如き平坦化累積輝度頻度系列ＡＨid2によって表される各輝度レベル毎の累積頻度を、その最大頻度（ｎ・ｍ）を最大輝度（入力映像信号ＶＤによって表現可能な最大輝度）と一致させると共にその最低頻度を最低輝度レベル０と一致させる形態にて、輝度レベルを表す値（正規化輝度レベルと称する）に正規化する。そして、輝度調整回路２４は、平坦化累積輝度頻度系列ＡＨid2に基づき、画素データＤＤによって表される輝度レベルに対応した上記正規化輝度レベルを求め、そのレベルを表す画素データを上記輝度補正画素データＰＤとする。例えば、画素データＤＤによって表される輝度レベルが図６に示す如きＬ１である場合には、平坦化累積輝度頻度系列ＡＨid2に基づき、この輝度レベルＬ１に対応した正規化輝度レベルＬ２を求める。そして、輝度調整回路２４は、その正規化輝度レベルＬ２を表す画素データを輝度補正画素データＰＤとして、ＳＦデータ生成回路３に供給するのである。
【００４１】
従って、上述した如き構成を有する輝度補正回路２００によれば、画素データＤＤによって表される輝度レベルが図６に示す如き中間輝度レベルＬＣよりも高い場合には、この画素データＤＤに対して、視聴距離（Ｌe）が小なるほど、その輝度レベルを低下させるべき輝度調整が施された輝度補正画素データＰＤが得られる。一方、画素データＤＤによって表される輝度レベルが中間輝度レベルＬＣよりも低い場合には、視聴距離（Ｌe）が小なるほど、この画素データＤＤに対して、その輝度レベルを増加させるべき輝度調整が施された輝度補正画素データＰＤが得られる。すなわち、輝度補正回路２００は、供給された画素データＤＤに対して、視聴距離（Ｌe）が小なるほど、各階調間の輝度差を小さくして輝度階調表現能力を高めるべき補正処理を施すのである。
【００４２】
又、輝度補正回路２００では、視聴距離（Ｌe）が小なるほど、平坦化累積輝度頻度系列ＡＨid2によって表される輝度−累積頻度曲線を、図６に示す如き１次直線累積輝度頻度系列ＦＨの形態に近づけるべき補正を施すようにしている。この際、平坦化累積輝度頻度系列ＡＨid2によって表される輝度−累積頻度曲線が、図６に示す如き１次直線累積輝度頻度系列ＦＨの形態から遠ざかるほど、画素データＤＤによる輝度レベル（Ｌ１）に対する、輝度補正画素データＰＤによる輝度レベル（Ｌ２）の中間輝度レベルＬＣからの輝度差が大きくなる。つまり、コントラストの強調度合いが高まるのである。すなわち、輝度補正回路２００では、画素データＰＣに対して視聴距離（Ｌe）が大なるほどコントラストの強調度合いを高めるべき補正処理を施すのである。これにより、視聴距離が遠くなるほどコントラスト感に敏感になるという人間の視覚特性に追従させた良好な表示画像が提供されるようになる。この際、視聴距離が近い場合には、人間の視覚特性上、コントラスト感よりも輝度階調の表現能力に敏感になる。よって、この際、平坦化累積輝度頻度系列ＡＨid2によって表される輝度−累積頻度曲線に対する直線化の度合いを高めることにより、コントラストの強調度合いを低下させる。これにより、各階調間の輝度差が小さくなって輝度階調表現能力が高まるようになるので、視聴距離が近いほど画像中の輝度変化に敏感になるという人間の視覚特性に追従させた良好な表示画像が提供されるようになる。
【００４３】
尚、上述した如きコントラストの強調度合いを自動調整させるべく、画素データＤＤに対してピークＡＣＬ（Automatic Contrast Limitter）処理を実施する場合には、視聴距離に応じてピークＡＣＬ処理による輝度調整量を補正するようにしても良い。この際、ピークＡＣＬ処理とは、１フレーム分の入力映像信号におけるピーク輝度が表示装置において表現可能な輝度範囲内の最高輝度となるように、１フレーム分の全画素に夫々対応した画素データに対して輝度調整処理を施すことにより、コントラストの強調を行うようにしたものである。
【００４４】
図９は、輝度補正回路２００においてピークＡＣＬ処理を実施する場合に、図４に示される構成に代わり採用される輝度補正回路２００の内部構成の一例を示す図である。
【００４５】
図９において、輝度ヒストグラム処理回路２６は、画素データＤＤにて表現可能な輝度範囲である輝度レベル「０」〜「２５５」各々に対応付けされた記憶領域を備えており、各記憶領域には、その輝度レベルを表す画素データＤＤが供給された延べ回数、つまり頻度が記憶される。例えば、輝度ヒストグラム処理回路２６は、１つの画素（１つの放電セルＰに相当する）に対応した画素データＤＤが供給される度に、その画素データＤＤによって示される輝度レベルに対応した記憶領域に記憶されている数を「１」だけインクリメントする。ここで、１フレーム（又は１フィールド）分の画素データＤＤに対する上記処理が全て終了する度に、輝度ヒストグラム処理回路２６は、各記憶領域に記憶されている値、つまり頻度を読み出し、夫々を図１０に示す如く輝度レベル「０」〜「２５５」各々に対応付けして表す輝度ヒストグラムデータＨidとして累積演算回路２７に供給する。
【００４６】
累積演算回路２７は、かかる輝度ヒストグラムデータＨidによって表される各輝度レベル「０」〜「２５５」各々毎の頻度を、低輝度に対応したものから（又は高輝度に対応したものから）順に累積加算する。ここで、累積演算回路２７は、１つの輝度レベルに対応した頻度を累算加算する度に得られる累算加算結果を輝度レベル「１」〜「２５５」各々に対応した累積頻度とする。例えば、累積演算回路２７は、先ず、輝度ヒストグラムデータＨidによって表される輝度レベル「０」での頻度と、輝度レベル「１」での頻度との加算結果を、輝度レベル「１」に対応した累積頻度とする。次に、この輝度レベル「１」に対応した累積頻度に、輝度レベル「２」での頻度を加算した加算結果を輝度レベル「２」に対応した累積頻度とする。次に、この輝度レベル「２」に対応した累積頻度に、輝度レベル「３」での頻度を加算した加算結果を輝度レベル「３」に対応した累積頻度とする。累積演算回路２７は、引き続き、上述した如き累積加算を順次実行することにより、輝度レベル「４」〜「２５５」に夫々対応した累積頻度を算出する。尚、最高輝度レベル「２５５」に対応した累積頻度は、必ずＰＤＰ１０の全画素数である（ｎ・ｍ）となる。累積演算回路２７は、これら輝度レベル「１」〜「２５５」各々と各累積頻度とを対応付けした輝度−累積頻度曲線を表す図１１に示す如き累積輝度頻度系列ＡＨid3を、実質ピーク輝度検出回路２８及び変曲点検出回路２９に供給する。
【００４７】
実質ピーク輝度検出回路２８は、各フレーム毎の累積輝度頻度系列ＡＨid3中から、図１１に示す如き予め設定された累積頻度ＨCに対応した輝度レベルを実質的なピーク輝度として検出し、その輝度レベルを示す実質ピーク輝度信号ＰＹを輝度調整ゲイン算出回路３０に供給する。尚、累積頻度ＨCとは、最大累積頻度（ｎ・ｍ）のｃ％（９０≦ｃ＜１００）の値である。すなわち、実質ピーク輝度検出回路２８では、最大累積頻度よりも所定値だけ小なる累積頻度（ＨC）に対応した輝度レベルを、実質的なピーク輝度（ＰＹ）として検出するのである。
【００４８】
変曲点検出回路２９は、上記累積輝度頻度系列ＡＨid3中から、図１１に示す如き予め設定された累積頻度ＨBに対応した輝度レベルを変曲点輝度として検出し、その輝度レベルを示す変曲点輝度信号Ｂを輝度調整回路３２に供給する。尚、累積頻度ＨBは、最大累積頻度（ｎ・ｍ）のｂ％（ｂ＜ｃ）の値とする。
【００４９】
補正量設定回路３１は、視聴距離信号Ｌeによって示される視聴距離を、図１２に示す如き所定の変換関数ＣＯＲに従って、輝度調整ゲイン（後述する）に対する補正量を示す補正量ＰＧCORに変換し、これを輝度調整ゲイン算出回路３０に供給する。尚、かかる変換関数ＣＯＲによれば、視聴距離信号Ｌeによって示される視聴距離が大、つまり遠くなるほど補正量ＰＧCORは大きくなる。
【００５０】
輝度調整ゲイン算出回路３０は、図１３に示す如きゲイン算出１次関数Ｆに基づき、実質ピーク輝度信号ＰＹから輝度調整ゲイン値を示す輝度調整ゲイン信号ＰＧを算出し、これを輝度調整回路３２に供給する。上記ゲイン算出１次関数Ｆは、図１３に示す如く、実質ピーク輝度信号ＰＹによって表されるピーク輝度がこのプラズマディスプレイ装置によって表現可能な最大輝度ＰＹMAXと等しくなる場合には、最低の輝度調整ゲイン値（例えば「１」）が得られ、その実質ピーク輝度（ＰＹ）が低くなるにつれ、大なる輝度調整ゲインが得られるような関数である。
【００５１】
ここで、輝度調整ゲイン算出回路３０は、上記補正量ＰＧCORによって示される補正量が大なるほど、負の傾きが大なるゲイン算出１次関数Ｆを用いて輝度調整ゲイン（ＰＧ）の算出を行う。例えば、輝度調整ゲイン算出回路３０は、補正量ＰＧCORが比較的大なる場合には図１３に示されるゲイン算出１次関数ＦUP、小なる場合には図１３に示されるゲイン算出１次関数ＦDNを用いて輝度調整ゲイン（ＰＧ）の算出を行う。この際、補正量ＰＧCORは、図１２に示すように、視聴距離（Ｌe）に比例したものである。従って、実質ピーク輝度（ＰＹ）が低くなるほど大なる輝度調整ゲイン（ＰＧ）が得られると共に、その輝度調整ゲイン（ＰＧ）は、視聴距離（Ｌe）が大なるほど大きくなるのである。
【００５２】
輝度調整回路３２は、画素データＤＤが上記変曲点輝度信号Ｂにて示される輝度レベル以上の輝度レベルを表す場合には、この画素データＤＤによって表される輝度レベルに、上記輝度調整ゲイン信号ＰＧにて示される輝度調整ゲインを乗算する。そして、輝度調整回路３２は、かかる乗算によって得られた輝度レベルを表す輝度補正画素データＰＤを生成し、これを図１に示す如きＳＦデータ生成回路３に供給する。尚、輝度調整回路３２は、画素データＤＤが上記変曲点輝度信号Ｂにて示される輝度レベル未満の輝度レベルを表す場合には、この画素データＤＤをそのまま上記輝度補正画素データＰＤとしてＳＦデータ生成回路３に供給する。
【００５３】
図９に示される構成によれば、図１３に示す如く、補正量ＰＧCORが大なるほど、つまり視聴距離（Ｌe）が大なるほど、所定輝度レベル（変曲点輝度信号Ｂにて示される輝度レベル）以上の輝度レベルを表す画素データＤＤに対する輝度調整ゲイン（ＰＧ）が大きくなる。よって、画素データＤＤに対して、高い輝度レベルをより高輝度にするという高輝度強調処理が施される。これにより、視聴距離（Ｌe）が大なるほど画像のコントラストの強調度合いが高まるようになるので、視聴距離が離れるほどコントラスト感に敏感になるという人間の視覚特性に追従させた良好な表示画像が提供されるようになる。この際、視聴距離が近い場合には、輝度調整ゲイン（ＰＧ）が小さくなるのでコントラストの強調度合いが低下し、各階調間の輝度差が小さくなる。つまり、各階調間の輝度差が小さくなる分だけ輝度階調の表現能力が高まるので、視聴距離が近いほど画像中の輝度変化に敏感になるという人間の視覚特性に追従させた良好な表示画像が提供されるようになる。
【００５４】
ここで、図９に示す輝度補正回路２００では、ピークＡＣＬ処理において各フレーム毎のピーク輝度を検出するにあたり、１フレーム分の入力映像信号中から最大輝度を直接検出するのではなく、図１１に示す如く、累積輝度頻度系列ＡＨid3中から所定の累積頻度ＨCに対応した輝度レベル（ＰＹ）を実質的なピーク輝度として検出するようにしている。すなわち、各フレーム毎に算出された累積輝度頻度系列ＡＨid3中から、最大の累積頻度（ｎ・ｍ）よりも所定値だけ小なる累積頻度ＨCに対応した輝度レベル（ＰＹ）をピーク輝度として検出するようにしているのである。これは、１フレーム分の入力映像信号中から直接、ピーク輝度を検出した場合に生じる以下の如き不自然な表示状態を防止させる為である。すなわち、字幕やニュース速報等の高輝度なバナー（bunner）が突然画像フレーム内に現れたときに、１フレーム分の入力映像信号中から直接、ピーク輝度を検出すると、このバナー領域での輝度レベルがピーク輝度として検出されることになる。よって、このバナー領域での輝度レベルに対応した輝度調整ゲイン（ＰＧ）にて、1フレーム分の各画素データＤＤに対して輝度調整を施すと、例え時間変化に伴う輝度変化の少ない画像が表示されていても、バナーの表示開始時点及び終了時点で画面全体の輝度レベルが突然変化するという、いわゆる画面のちらつきが生じてしまうのである。
【００５５】
これに対して、図９に示す如き輝度補正回路２００では、累積輝度頻度系列ＡＨid3中から、最大累積頻度よりも所定値だけ小なる累積頻度ＨCに対応した輝度レベル（ＰＹ）を実質的なピーク輝度としている。すなわち、１フレーム分の入力映像信号（画素データＤＤ）における実際のピーク輝度よりも僅かに小なる輝度レベルが実質的なピーク輝度となり、字幕やニュース速報等が表示されるバナー領域の如き比較的狭い領域での輝度レベルはピーク輝度検出の対象とはならない。よって、このようなバナー領域が突然画面内に現れる場合にも、画面のちらつきを生じさせることなく、ピークＡＣＬ処理を実施することが可能となる。
【００５６】
又、輝度補正回路２００によるピークＡＣＬ処理では、入力映像信号に基づく各フレーム毎の実質ピーク輝度（ＰＹ）が、図１に示すプラズマディスプレイ装置において表現可能な最大輝度となるように、各画素データＤＤに対して輝度調整処理がなされる。よって、図１１に示す如き実質ピーク輝度レベル（ＰＹ）〜最大輝度レベル「２５５」の間に含まれる輝度レベルは全て一律に、プラズマディスプレイ装置において表現可能な最大輝度として表現されることになる。これにより、実質ピーク輝度レベル（ＰＹ）〜最大輝度レベル「２５５」の範囲内で表示される画像領域は、「白つぶれ」として表示されてしまうこととなる。この「白つぶれ」は、視聴距離（Le）が小なるほど、鑑賞者に認識されやすく、違和感を生じさせる。そこで、図９に示される輝度補正回路２００では、図１３に示すように、補正量ＰＧCORが小、つまり視聴距離（Ｌe）が小なるほど、輝度調整ゲイン（ＰＧ）を小さくすることにより、この「白つぶれ」の発生を抑制している。一方、視聴距離（Le）が大なるほど、この「白つぶれ」は認識されにくいので、逆にコントラスト感を高めるべく、輝度調整ゲイン（ＰＧ）を大きくするのである。
【００５７】
又、輝度補正回路２００では、入力映像信号（画素データＤＤ）における図１１に示す如き所定の変曲点輝度（Ｂ）以上の輝度レベルをピークＡＣＬ処理の対象としている。よって、頻度が多くなる中間輝度レベルでは入力映像信号によって示される輝度レベルがそのまま維持されるので、全輝度レベルをピークＡＣＬ処理の対象とする場合に比べて、階調再現性を保ちながらもコントラスト感を高めることが可能となる。
【００５８】
更に、所定の変曲点輝度（Ｂ）以上の一部の高輝度レベルのみを対象としてピークＡＣＬを実行するようにしているので、全輝度レベルをピークＡＣＬ処理の対象とする場合に比べて、高輝度化に伴う消費電力の増加を抑制しながら、コントラスト感を高めることが可能となる。
【００５９】
又、図９に示される輝度補正回路２００では、上述したように所定の変曲点輝度（Ｂ）以上の輝度レベルを有する画素データＤＤをピークＡＣＬ処理の対象としたが、全輝度レベルをピークＡＣＬ処理の対象としても良い。又、上述した如き全輝度レベルを対象としたピークＡＣＬ処理を実施するにあたり、輝度調整回路３２は、図１３に示す如きゲイン算出１次関数Ｆに基づいて算出した輝度調整ゲイン（ＰＧ）を各画素データＤＤに乗算するのではなく、その値を加算することにより輝度補正画素データＰＤを生成するようにしても良い。
【００６０】
尚、図９に示される輝度補正回路２００では、表示画像全体のコントラストを強調させるべく、画素データＤＤに対して、高い輝度レベルをより高輝度に調整すべきピークＡＣＬ処理を施すようにしているが、低い輝度レベルをより低輝度に調整すべき処理を行うようにしても良い。
【００６１】
図１４は、コントラストを強調するにあたり、画素データＤＤに対して、低い輝度レベルをより低輝度に調整する黒伸張処理を施す場合に採用される輝度補正回路２００の構成を示す図である。
【００６２】
図１４において、輝度ヒストグラム処理回路３６は、画素データＤＤにて表現可能な輝度範囲である輝度レベル「０」〜「２５５」各々に対応付けされた記憶領域を備えており、各記憶領域には、その輝度レベルを表す画素データＤＤが供給された延べ回数、つまり頻度が記憶される。例えば、輝度ヒストグラム処理回路３６は、１つの画素（１つの放電セルＰに相当する）に対応した画素データＤＤが供給される度に、その画素データＤＤによって示される輝度レベルに対応した記憶領域に記憶されている数を「１」だけインクリメントする。ここで、１フレーム（又は１フィールド）分の画素データＤＤに対する上記処理が全て終了する度に、輝度ヒストグラム処理回路３６は、各記憶領域に記憶されている値、つまり頻度を読み出し、夫々を図１０に示す如く輝度レベル「０」〜「２５５」各々に対応付けして表す輝度ヒストグラムデータＨidとして累積演算回路３７に供給する。
【００６３】
累積演算回路３７は、かかる輝度ヒストグラムデータＨidによって表される各輝度レベル「０」〜「２５５」各々毎の頻度を、低輝度に対応したものから（又は高輝度に対応したものから）順に累積加算する。ここで、累積演算回路３７は、１つの輝度レベルに対応した頻度を累算加算する度に得られる累算加算結果を輝度レベル「１」〜「２５５」各々に対応した累積頻度とする。例えば、累積演算回路３７は、先ず、輝度ヒストグラムデータＨidによって表される輝度レベル「０」での頻度と、輝度レベル「１」での頻度との加算結果を、輝度レベル「１」に対応した累積頻度とする。次に、この輝度レベル「１」に対応した累積頻度に、輝度レベル「２」での頻度を加算した加算結果を輝度レベル「２」に対応した累積頻度とする。次に、この輝度レベル「２」に対応した累積頻度に、輝度レベル「３」での頻度を加算した加算結果を輝度レベル「３」に対応した累積頻度とする。累積演算回路３７は、引き続き、上述した如き累積加算を順次実行することにより、輝度レベル「４」〜「２５５」に夫々対応した累積頻度を算出する。尚、最高輝度レベル「２５５」に対応した累積頻度は、必ずＰＤＰ１０の全画素数である（ｎ・ｍ）となる。累積演算回路３７は、これら輝度レベル「１」〜「２５５」各々と各累積頻度とを対応付けした輝度−累積頻度曲線を表す図１５に示す如き累積輝度頻度系列ＡＨid4を、実質ボトム輝度検出回路３８及び変曲点検出回路３９に供給する。
【００６４】
実質ボトム輝度検出回路３８は、図１５に示す如き累積輝度頻度系列ＡＨid4中から、予め設定された累積頻度Ｈdに対応した輝度レベルを実質的な最低輝度として検出し、その輝度レベルを示す実質ボトム輝度信号ＢＹを輝度調整係数算出回路４０に供給する。尚、累積頻度Ｈdとは、最大累積頻度（ｎ・ｍ）のｄ％（ｄ＜１０）の値とする。
【００６５】
変曲点検出回路３９は、上記累積輝度頻度系列ＡＨid4中から、図１５に示す如き予め設定された累積頻度Ｈeに対応した輝度レベルを変曲点輝度として検出し、その輝度レベルを示す変曲点輝度信号Ｅを輝度調整回路４２に供給する。尚、累積頻度Ｈeは、最大累積頻度（ｎ・ｍ）のｅ％（ｄ＜ｅ≦５０）の値とする。
【００６６】
補正量設定回路４１は、視聴距離信号Ｌeによって示される視聴距離を、図１６に示す如き所定の変換関数ＣＯＲKに従って、輝度調整係数（後述する）に対する補正量を示す補正量ＫＧCORに変換し、これを輝度調整係数算出回路４０に供給する。尚、かかる変換関数ＣＯＲKによれば、視聴距離信号Ｌeによって示される視聴距離が大、つまり遠くなるほど補正量ＫＧCORは大きくなる。
【００６７】
輝度調整係数算出回路４０は、図１７に示す如き調整係数算出１次関数Ｇに基づき、実質ボトム輝度信号ＢＹから輝度調整係数を示す輝度調整係数信号ＫＶを算出し、これを輝度調整回路４２に供給する。尚、上記調整係数算出１次関数Ｇは、図１７に示す如く、実質ボトム輝度信号ＢＹによって表される最低輝度がこのプラズマディスプレイ装置によって表現可能な最低輝度０と等しくなる場合には、最低の輝度調整係数が得られ、その実質ボトム輝度（ＢＹ）が高くなるにつれ、大なる輝度調整係数が得られるような関数である。又、輝度調整係数算出回路４０は、上記補正量ＫＧCORによって示される補正量が大なるほど、傾きが大なる調整係数算出１次関数Ｇを用いて輝度調整係数（ＫＶ）の算出を行う。例えば、輝度調整係数算出回路４０は、補正量ＫＧCORが比較的大なる場合には図１７に示されるゲイン算出関数ＧUP、小なる場合には図１７に示されるゲイン算出関数ＧDNを用いて輝度調整係数（ＫＶ）の算出を行う。この際、補正量ＫＧCORは、図１６に示すように、視聴距離（Ｌe）に比例したものである。従って、実質ボトム輝度（ＢＹ）が高くなるほど大なる輝度調整係数（ＫＶ）が得られると共に、その輝度調整係数（ＫＶ）は、視聴距離（Ｌe）が大なるほど大きくなるのである。
【００６８】
ピーク輝度検出回路４３は、画素データＤＤ各々の１フレーム分毎に、その１フレーム内で最も高い輝度レベルを示す画素データＤＤを検出し、かかる輝度レベルをピーク輝度として示すピーク輝度信号ＰＫを輝度調整回路４２に供給する。
【００６９】
輝度調整回路４２は、画素データＤＤが上記変曲点輝度信号Ｅにて示される輝度レベル以下の輝度レベルを表す場合には、画素データＤＤによって示される輝度レベルに対して下記の如き黒伸張化演算を施すことにより、輝度補正画素データＰＤを求め、これを図１に示す如きＳＦデータ生成回路３に供給する。
【００７０】
ＰＤ＝ＰＫ−（ＰＫ−ＤＤ)・ＫＶ
ＰＫ：ピーク輝度信号ＰＫによって示されるピーク輝度
ＫＶ：輝度調整係数信号ＫＶによって示される輝度調整係数    尚、輝度調整回路４２は、画素データＤＤが上記変曲点輝度信号Ｅにて示される輝度レベルより高い輝度レベルを表す場合には、この画素データＤＤをそのまま上記輝度補正画素データＰＤとしてＳＦデータ生成回路３に供給する。
【００７１】
図１４に示される構成によれば、図１７に示す如く、補正量ＫＧCORが大なるほど、つまり視聴距離（Ｌe）が大なるほど、所定輝度レベル（変曲点輝度信号Ｅにて示される輝度レベル）以下の低輝度を表す画素データＤＤに対する輝度調整係数（ＫＶ）が大きくなる。従って、上記黒伸張化演算によれば、輝度調整係数（ＫＶ）が大きくなるほど、輝度補正画素データＰＤによって示される輝度レベルは低くなる。すなわち、画素データＤＤに対して、低い輝度レベルをより低輝度にするという、いわゆる黒伸張処理が施されるのである。これにより、視聴距離（Ｌe）が大なるほど画像のコントラストの強調度合いが高まるようになるので、視聴距離が離れるほどコントラスト感に敏感になるという人間の視覚特性に追従させた良好な表示画像が提供されるようになる。この際、視聴距離（Ｌe）が近い場合には、輝度調整係数（ＫＶ）が小さくなるのでコントラストの強調度合いが低下し、各階調間の輝度差が小さくなる。よって、各階調間の輝度差が小さくなる分だけ輝度階調の表現能力が高まるので、視聴距離が近いほど画像中の輝度変化に敏感になるという人間の視覚特性に追従させた良好な表示画像が提供されるようになる。
【００７２】
ここで、図１４に示す輝度補正回路２００では、上述した如き黒伸張処理を実施すべく各フレーム毎のボトム輝度を検出するにあたり、１フレーム分の入力映像信号中から直接、最低輝度を検出するのではなく、図１５に示す如く、累積輝度頻度系列ＡＨid4中から、最大累積頻度（ｎ・ｍ）のｄ％（ｄ＜１０）となる累積頻度Ｈdに対応した輝度レベル（ＢＹ）を実質的なボトム輝度として検出するようにしている。これは、１フレーム分の入力映像信号中から直接、最低輝度を検出した場合に生じる以下の如き不自然な表示状態を防止させる為である。すなわち、例えば黒色を背景とする字幕やニュース速報等のバナー（bunner）が突然画像フレーム内に現れたときに、１フレーム分の入力映像信号中から直接、最低輝度を検出すると、このバナー領域での黒色背景に対応した輝度レベル０が最低輝度として検出されることになる。よって、このバナー領域での輝度レベル０に対応した輝度調整係数（ＫＶ）にて、1フレーム分の各画素データＤＤに対して輝度調整を施すと、例え時間変化に伴う輝度変化の少ない画像が表示されていても、バナーの表示開始時点及び終了時点で画面全体の輝度レベルが突然変化するという、いわゆる画面のちらつきが生じてしまうのである。
【００７３】
これに対して、図１４に示す如き輝度補正回路２００では、図１５に示すように、累積輝度頻度系列ＡＨid4中から、最低累積頻度０よりも所定値だけ大なる累積頻度Ｈdに対応した輝度レベル（ＢＹ）を実質的なボトム輝度としている。すなわち、１フレーム分の入力映像信号（画素データＤＤ）における実際のボトム輝度よりも僅かに高い輝度レベルが実質的なボトム輝度となり、字幕やニュース速報等が表示されるバナー領域の如き比較的狭い領域での輝度レベルはボトム輝度検出の対象とはならない。よって、このようなバナー領域が突然画面内に現れる場合にも、画面のちらつきを生じさせることなく、黒伸張処理を実施することが可能となる。
【００７４】
又、輝度補正回路２００による黒伸張処理では、入力映像信号に基づく各フレーム毎の実質ボトム輝度（ＢＹ）が、図１に示すプラズマディスプレイ装置において表現可能な最低輝度となるように、各画素データＤＤに対して輝度調整がなされる。よって、図１５に示す如き実質ボトム輝度（ＢＹ）〜最低輝度レベル「０」の間に含まれる輝度レベルは全て一律に、プラズマディスプレイ装置において表現可能な最低輝度として表現されることになる。これにより、図１５に示す如き実質ボトム輝度（ＢＹ）〜最低輝度レベル「０」の範囲内で表示される画像領域は、「黒つぶれ」として表示されてしまうこととなる。この「黒つぶれ」は、視聴距離（Le）が小なるほど、鑑賞者に認識されやすく、違和感を生じさせる。そこで、図１４に示される輝度補正回路２００では、図１７に示すように、補正量ＫＧCORが小、つまり視聴距離（Ｌe）が小なるほど、輝度調整係数（ＫＶ）を小さくすることにより、黒伸張処理による輝度低下量を抑えて、「黒つぶれ」の発生を防止している。一方、視聴距離（Le）が大なるほど、この「黒つぶれ」は認識されにくいので、逆にコントラスト感を高めるべく、輝度調整係数（ＫＶ）を大きくすることにより、黒伸張処理による輝度低下量を増加させるのである。
【００７５】
又、図１４に示す輝度補正回路２００では、入力映像信号（画素データＤＤ）における図１５に示す如き所定の変曲点輝度（Ｅ）以下の輝度レベルを黒伸張処理の対象としている。よって、頻度が多くなる中間輝度レベルでは入力映像信号によって示される輝度レベルがそのまま維持されるので、全輝度レベルを黒伸張処理の対象とする場合に比べて、階調再現性を保ちながらもコントラスト感を高めることが可能となる。
【００７６】
尚、図１４に示される輝度補正回路２００では、上述したように所定の変曲点輝度（Ｅ）以下の輝度レベルを有する画素データＤＤを黒伸張処理の対象としたが、全輝度レベルを黒伸張処理の対象としても良い。又、上述した如き全輝度レベルを対象とした黒伸張処理を実施するにあたり、輝度調整回路４２は、画素データＤＤに対して、
ＰＤ＝ＤＤ−ＫＶ
なる黒伸張演算処理を施すことにより輝度補正画素データＰＤを求めるようにしても良い。すなわち、１フレーム分の画素データＤＤ各々によって表される輝度レベルに対して、一律にその輝度レベルを上記輝度調整係数（ＫＶ）の分だけ低下させるべきオフセットを掛けるのである。
【実施例２】
【００７７】
図１８は、本発明による駆動方法に従ってプラズマディスプレイパネルの駆動を行うプラズマディスプレイ装置の他の構成を示す図である。
【００７８】
図１８に示されるプラズマディスプレイ装置では、図１に示される輝度補正回路２００に代わり、画像中の縞状の歪みであるストリーキングを抑制させるべき輝度補正を行う輝度補正回路３００を採用したものである。ストリーキングは、表示ライン毎に発光負荷が異なる場合に、発光負荷が大なる表示ラインほどサスティンパルス電圧の低下が大きくなることから生じる表示ライン単位での輝度バラツキ現象である。
【００７９】
尚、図１８において、輝度補正回路３００を採用した点を除く他の構成は、図１に示すものと同一であるので、以下に、輝度補正回路３００の動作を中心にその動作を説明する。
【００８０】
図１９は、かかる輝度補正回路３００の内部構成を示す図である。
【００８１】
図１９において、駆動データ生成回路３０１は、Ａ／Ｄ変換器１から供給された画素データＤＤに対し、先ず、誤差拡散処理及びディザ処理等からなる多階調化処理を施す。例えば、駆動データ生成回路３０１は、画素データＤＤの上位ビット群を表示データ、残りの下位ビット群を誤差データと捉える。この際、駆動データ生成回路３０１は、周辺画素各々に対応した画素データにおける上記誤差データを重み付け加算したものを、上記表示データに反映させることにより誤差拡散処理画素データを得る（誤差拡散処理）。次に、互いに隣接する複数の画素からなる画素群毎に、各画素に対応した上記誤差拡散処理画素データに夫々、互いに異なる係数値からなるディザ係数を夫々割り当てて加算し、その加算結果中の所定の上位ビット群を多階調化画素データとして得る（ディザ処理）。そして、駆動データ生成回路３０１は、上記多階調化画素データに基づき、図３に示す如きＮ個（Ｎ：整数）のサブフィールドＳＦ１〜ＳＦ（Ｎ）各々において、放電セルＰを点灯及び消灯モードの内のいずれの状態に設定するのかを各ビット毎に示す駆動データＧＤＤを生成して順次、セル数算出回路３０２及び補正係数生成回路３０３に供給する。例えば、駆動データＧＤＤの第１〜第Ｎビットは夫々サブフィールドＳＦ１〜ＳＦ（Ｎ）の各々に対応しており、そのビット桁が論理レベル１である場合には、このビット桁に対応したサブフィールドＳＦにおいて放電セルＰを点灯モード状態に設定する一方、論理レベル０である場合には消灯モード状態に設定することを表す。
【００８２】
セル数算出回路３０２は、駆動データ生成回路３０１から供給された駆動データＧＤＤに基づき、各サブフィールド毎に、ＰＤＰ１０における各表示ライン毎に点灯モード状態に設定される放電セルＰの合計数を各発光色（赤、青、緑）毎に計数し、その計数値ＬＮ（ｉ，ｃ）を示す計数データＬＮを補正因子生成回路３０４に供給する。かかるＬＮ（ｉ，ｃ）において、ｉは、サブフィールド番号を示し、ｃは、放電セルＰの発光色（Ｒ，ＧまたはＢ）を示す。この際、各表示ライン毎にその表示ラインに属する放電セルＰ各々の内で点灯モード状態に設定される放電セルの数が大きい程、その表示ラインの負荷が大きくなる。尚、本実施例では、計数値ＬＮ（ｉ，ｃ）そのものが負荷として算出されているが、本発明ではこれに限定されない。たとえば、計数値ＬＮ（ｉ，ｃ）の代わりに、計数値ＬＮ（ｉ，ｃ）に対応するインピーダンスなどの値を負荷としてもよい。
【００８３】
補正因子生成回路３０４は、上記計数データＬＮに基づいて、各表示ライン毎に各発光色毎の補正因子データＳＧを算出する。具体的には、補正因子データＳＧは、３×Ｍ個のＳＦ補正因子ＳＧ（ｉ，ｃ）（ｉ：サブフィールド番号、ｃ：Ｒ，ＢまたはＧ）のデータからなり、ＳＦ補正因子ＳＧ（ｉ，ｃ）は、たとえば、下記式（１）に従って算出される。
【００８４】
【数１】
2009122506.tif 000003
【００８５】
α（ｉ，ｃ）：正の重み係数
Ｒ（ｉ）：実効負荷
ｍ：１表示ラインに属する放電セルＰの総数
ω：べき指数（例えば「２」）
ここで、上式（１）中、実効負荷Ｒ（ｉ）は、たとえば、以下の式（１Ａ）で与えられる。
【００８６】
【数２】
2009122506.tif 000004
【００８７】
尚、β（ｉ，Ｒ），β（ｉ，Ｇ），β（ｉ，Ｂ）は、正の重み係数であり、各色毎の蛍光体の輝度飽和特性や色純度、劣化特性などの特性に基づいて定められる係数である。この際、係数β（ｉ，Ｒ），β（ｉ，Ｇ），β（ｉ，Ｂ）と実効負荷Ｒ（ｉ）は、以下の束縛条件（１Ｂ），（１Ｃ）に従うことが望ましい。
【００８８】
【数３】
2009122506.tif 000005
【００８９】
又、上式（１）に代わり、上式（１）で与えられる値を用いて算出される値、たとえばＳＧ（ｉ，ｃ）の１／２乗をＳＦ補正因子として使用してもよい。上式（１）によれば、処理対象である表示ライン（以下、カレント表示ラインと称する。）内の全ての放電セルＰが点灯モード状態に設定される場合にはＳＦ補正因子ＳＧ（ｉ，ｃ）は最小値「１」となり、全ての放電セルＰが消灯モード状態に設定される場合にはＳＦ補正因子ＳＧ（ｉ，ｃ）は最大値「１＋α（ｉ，ｃ）」となる。したがって、負荷が大きい程にＳＦ補正因子ＳＧ（ｉ，ｃ）は小さく、負荷が小さい程にＳＦ補正因子ＳＧ（ｉ，ｃ）は大きくなる。
【００９０】
補正係数生成回路３０３は、補正因子生成回路３０４から供給された補正因子データＳＧと、駆動データ生成回路３０１から供給された駆動データＧＤＤとに基づき、各表示ライン内の発光色ｃにて発光する第Ｑ列目の放電セルＰに対応する補正係数Ｇ（Ｑ，ｃ）（Ｑ＝１〜ｍの整数）を算出する。なお、駆動データＧＤＤは、駆動データ生成回路３０１から遅延回路（図示せず）を経て補正係数生成回路３０３に供給される。補正係数Ｇ（Ｑ，ｃ）は、たとえば、以下の式（２）に従って算出される。
【００９１】
【数４】
2009122506.tif 000006
【００９２】
１／γ：べき指数（例えば１／２）
ｇ（Ｑ，ｃ）：１フィールド当たりの補正因子（フィールド補正因子）
尚、ｇ（Ｑ，ｃ）は、次の式（２Ａ）で与えられる。
【００９３】
【数５】
2009122506.tif 000007
【００９４】
又、上式（２Ａ）中、係数ＥＮ（ｉ）、ＣＦ（ｉ）はそれぞれ次式（２Ｂ）、（２Ｃ）で与えられる。
【００９５】
【数６】
2009122506.tif 000008
【００９６】
Ｔ（ｉ）：ｉ番目サブフィールドＳＦｉのサスティン期間又はサスティン放電回数
Ｂ（ｉ）：補正対象の放電セルＰのモード状態（点灯又は消灯）を示す値
よって、係数ＣＦ（ｉ）は、１フィールドにおいてｉ番目サブフィールドのサスティン期間またはサスティン放電回数が占める割合を意味する。なお、全てのＥＮ（ｉ）の値がゼロのときは、ＣＦ（ｉ）＝０と定義する。
【００９７】
補正係数生成回路３０３は、上述した如く算出された補正係数Ｇ（Ｑ，ｃ）を示す係数データＣＤを乗算器３０５に供給する。
【００９８】
抑制係数算出回路３０６は、視聴距離信号Ｌeによって示される視聴距離を、図２０に示す如き所定の変換関数ＣＯＬに従って、ストリーキング補正を弱めるべき度合いを示す抑制係数Ｋに変換し、これを乗算器３０５に供給する。
【００９９】
乗算器３０５は、上記係数データＣＤによって示される補正係数Ｇ（Ｑ，ｃ）に、抑制係数Ｋを乗算した乗算結果をストリーキング補正係数ＫＣＤとして乗算器３０７に供給する。
【０１００】
遅延メモリ３０８は、画素データＤＤを１表示ラインに相当する時間だけ遅延させたものを乗算器３０７及び加算器３０９に夫々供給する。
【０１０１】
乗算器３０７及び加算器３０９は、以下の式（３）に従った演算により、輝度調整画素データＰＤを算出する。
【０１０２】
【数７】
2009122506.tif 000009
【０１０３】
上記ＰＤ（Ｑ，ｃ）は、カレント表示ラインにおいて発光色ｃを持つＱ番目放電セルＰに対応する画素データＤＤの輝度値（階調値）を示している。なお、上式（３）は、次式（３Ａ）に変形され得るので、上式（３）に従った構成の代わりに、次式（３Ａ）に従った構成を採用してもよい。
【０１０４】
【数８】
2009122506.tif 000010
【０１０５】
上述した如き構成によれば、例えばカレント表示ライン内の全ての放電セルＰが発光する場合、つまり負荷が最大になる場合には、画素データＤＤの輝度に対する補正量は最小になり、この画素データＤＤは、輝度値の補正が為されずにそのまま輝度調整画素データＰＤとして送出される。一方、カレント表示ライン内の全ての放電セルＰが発光しない場合、つまり負荷が最小となる場合には輝度値の補正量は最大になる。
【０１０６】
すなわち、輝度補正回路３００は、各表示ライン毎にその表示ラインでの発光負荷量が大なるほど小なる補正量にて、この表示ラインに対応した画素データＤＤに対して輝度レベルの調整を施すのである。よって、輝度補正回路３００によれば、各表示ラインの発光負荷量の差異に伴う表示ライン単位での輝度バラツキを小、つまりストリーキングを抑制させるように、各表示ライン毎に且つ放電セルＰの発光色毎に、画素データＤＤに対して輝度調整が為されるのである。輝度補正回路３００は、かかる輝度調整によって得られた輝度調整画素データＰＤをＳＦデータ生成回路３に供給する。ＳＦデータ生成回路３は、かかる輝度調整画素データＰＤに対して、上記駆動データ生成回路３０１と同一の処理を施すことにより、図３に示す如きＮ個のサブフィールドＳＦ１〜ＳＦ（Ｎ）各々において、放電セルＰを点灯及び消灯モードの内のいずれの状態に設定するのかを各ビット毎に示すＳＦデータＧＤを生成する。
【０１０７】
従って、図１８に示されるプラズマディスプレイ装置においては、放電セルＰにおけるＲ，Ｇ，Ｂの蛍光体毎に輝度飽和特性が異なっていても、色ずれを生じさせることなくストリーキングの抑制が為されるようになる。
【０１０８】
ここで、輝度補正回路３００では、上述した如きストリーキングを抑制させるべき輝度補正を行うにあたり、視聴距離（Le）が大ほど、その補正量を小さくさせるべき抑制係数Kを、補正係数Ｇ（Ｑ，ｃ）を示す係数データＣＤに乗算するようにしている。
【０１０９】
すなわち、視聴距離が近い場合は表示画像が比較的明るく見えるので、画面均一性の不足が目立つことになる。よって、このように視聴距離が近い場合には、明るさが均一な画面となるストリーキング補正を強めるべく、小なる抑制係数Kを係数データＣＤに乗算する。一方、視聴距離が遠い場合は、ストリーキング補正によって画面均一性が改善される効果よりも、表示が暗くなってしまう弊害の方が目立つ。そこで、このように視聴距離が遠い場合には、表示画像が必要以上に暗くなってしまうことを防止すべく、大なる抑制係数Kを係数データＣＤに乗算する。ストリーキング補正を弱める。
【０１１０】
よって、図１９に示す如き輝度補正回路３００によれば、ストリーキングを抑制させるべき輝度補正を行いつつも、表示画像の輝度低下を抑えた良好な画像が提供されるようになる。
【実施例３】
【０１１１】
図２１は、本発明による駆動方法に従ってプラズマディスプレイパネルの駆動を行うプラズマディスプレイ装置の他の構成を示す図である。
【０１１２】
図２１に示されるプラズマディスプレイ装置は、図１に示される構成に照度センサ２ａを追加すると共に、図１に示される輝度補正回路２００に代わり、人間の順応輝度に追従させた輝度補正を行う輝度補正回路４００を採用したものである。尚、順応輝度とは、その視聴環境下において視聴者がＰＤＰ１０の表示画面を眺めた際に視覚される輝度のことである。例えば、順応輝度が高い（明るい）ほど、人間の目のダイナミックレンジは明るい方の感度が高くなり、表示画像が全体的に暗く見えてしまう一方、順応輝度が低い（暗い）ほど表示画像が眩しく感じられるようになる。
【０１１３】
尚、図２１において、照度センサ２ａ及び輝度補正回路４００を採用した点を除く他の構成は、図１に示すものと同一である。よって、以下に、照度センサ２ａ及び輝度補正回路４００を中心にその動作を説明する。
【０１１４】
照度センサ２ａは、例えば図２に示すように、プラズマディスプレイ装置本体の表示面１１の周辺部、つまり画面枠１２の表面上に設置されている。照度センサ２ａは、このプラズマディスプレイ装置が設置されている空間の明るさ（以下、環境照度と称する）を検出し、この明るさを示す環境照度信号Ｙを輝度補正回路４００に供給する。尚、環境照度には、このプラズマディスプレイ装置の画面から発せられる光の影響は含まれていないものとする。
【０１１５】
図２２は、かかる輝度補正回路４００の内部構成を示す図である。
【０１１６】
図２２において、輝度ヒストグラム処理回路４０６は、画素データＤＤにて表現可能な輝度範囲である輝度レベル「０」〜「２５５」各々に対応付けされた記憶領域を備えており、各記憶領域には、その輝度レベルを表す画素データＤＤが供給された延べ回数、つまり頻度が記憶される。例えば、輝度ヒストグラム処理回路４０６は、１つの画素（１つの放電セルＰに相当する）に対応した画素データＤＤが供給される度に、その画素データＤＤによって示される輝度レベルに対応した記憶領域に記憶されている数を「１」だけインクリメントする。ここで、１フレーム（又は１フィールド）分の画素データＤＤに対する上記処理が全て終了する度に、輝度ヒストグラム処理回路４０６は、各記憶領域に記憶されている値、つまり頻度を読み出し、夫々を図１０に示す如く輝度レベル「０」〜「２５５」各々に対応付けして表す輝度ヒストグラムデータＨidとして累積演算回路４０７に供給する。
【０１１７】
累積演算回路４０７は、かかる輝度ヒストグラムデータＨidによって表される各輝度レベル「０」〜「２５５」各々毎の頻度を、低輝度に対応したものから（又は高輝度に対応したものから）順に累積加算する。ここで、累積演算回路４０７は、１つの輝度レベルに対応した頻度を累算加算する度に得られる累算加算結果を輝度レベル「１」〜「２５５」各々に対応した累積頻度とする。例えば、累積演算回路４０７は、先ず、輝度ヒストグラムデータＨidによって表される輝度レベル「０」での頻度と、輝度レベル「１」での頻度との加算結果を、輝度レベル「１」に対応した累積頻度とする。次に、この輝度レベル「１」に対応した累積頻度に、輝度レベル「２」での頻度を加算した加算結果を輝度レベル「２」に対応した累積頻度とする。次に、この輝度レベル「２」に対応した累積頻度に、輝度レベル「３」での頻度を加算した加算結果を輝度レベル「３」に対応した累積頻度とする。累積演算回路２７は、引き続き、上述した如き累積加算を順次実行することにより、輝度レベル「４」〜「２５５」に夫々対応した累積頻度を算出する。尚、最高輝度レベル「２５５」に対応した累積頻度は、必ずＰＤＰ１０の全画素数である（ｎ・ｍ）となる。累積演算回路４０７は、これら輝度レベル「１」〜「２５５」各々と各累積頻度とを対応付けした輝度−累積頻度曲線を表す図１１に示す如き累積輝度頻度系列ＡＨid3を、実質ピーク輝度検出回路４０８及び変曲点検出回路４０９に供給する。
【０１１８】
実質ピーク輝度検出回路４０８は、各フレーム毎の累積輝度頻度系列ＡＨid3中から、図１１に示す如き予め設定された累積頻度ＨCに対応した輝度レベルを実質的なピーク輝度として検出し、その輝度レベルを示す実質ピーク輝度信号ＰＹを輝度調整ゲイン算出回路４１０に供給する。尚、累積頻度ＨCとは、最大累積頻度（ｎ・ｍ）のｃ％（９０≦ｃ＜１００）の値とする。
【０１１９】
順応輝度算出回路４１１は、先ず、１フレーム分毎の画素データＤＤに基づき、視聴者がＰＤＰ１０の表示画面を眺めた際に実際に視覚される輝度（以下、画面視覚輝度と称する）を以下の如く算出する。すなわち、入力映像信号ＶＤに基づく１フレーム画像の平均輝度が一定であっても、その画像中のピーク輝度が高い場合には低い場合に比して明るい画像に感じられる。つまり、ピーク輝度が高くなるほど、画面視覚輝度が高くなるのである。そこで、かかる画面視覚輝度を求めるべく、順応輝度算出回路４１１は、１フレーム分毎の画素データＤＤに基づき、画像１フレーム（又は１フィールド）分毎の平均輝度ＡＰＬ及びピーク輝度ＹPKを検出する。次に、順応輝度算出回路４１１は、図２３（ａ）に示す如き１次関数αに基づき、ピーク輝度ＹPKから画面視覚輝度補正値ＣＣを算出する。そして、順応輝度算出回路４１１は、図２３（ｂ）に示す如き１次関数βに基づき、上記平均輝度ＡＰＬから画面視覚輝度を表す画面視覚輝度信号ＹDSPを算出する。この際、順応輝度算出回路４１１は、図２３（ｂ）に示すように、上記１次関数βの傾きを画面視覚輝度補正値ＣＣに基づいて設定する。すなわち、画面視覚輝度補正値ＣＣが所定値と一致する場合には、図２３（ｂ）において実線にて示す１次関数βに基づき画面視覚輝度信号ＹDSPを算出する。又、画面視覚輝度補正値ＣＣが所定値よりも大なる場合には両者の差分値に対応した分だけ１次関数β（実線にて示す）の傾きを増加させた１次関数β1（一点鎖線にて示す）に基づき画面視覚輝度信号ＹDSPを算出する。一方、画面視覚輝度補正値ＣＣが所定値よりも小なる場合には両者の差分値に対応した分だけ１次関数β（実線にて示す）の傾きを低下させた１次関数β3（波線にて示す）に基づき画面視覚輝度信号ＹDSPを算出する。すなわち、画像１フレーム分の平均輝度ＡＰＬをその画像中のピーク輝度ＹPKに応じて補正することにより、視聴者が視覚することになる表示画面の輝度、いわゆる画面視覚輝度（ＹDSP）を求めるのである。
【０１２０】
そして、順応輝度算出回路４１１は、照度センサ２ａから供給された環境照度信号Ｙ、視聴距離センサ２から供給された視聴距離信号Ｌe、及び上記画面視覚輝度信号ＹDSPに基づき、その視聴環境において視聴者がＰＤＰ１０の表示画面を眺めた際に視覚される順応輝度Ｌａを以下の演算式に基づいて算出して補正量設定回路４１２に供給する。
【０１２１】
Ｌａ＝｛Ｙ・Ｌe＋ＹDSP(Ｌe(MAX)−Ｌe)｝／Ｌe(MAX)
Ｌe(MAX)：画像認識が可能な最大の視聴距離
すなわち、順応輝度算出回路４１１は、視聴距離（Ｌe）に基づく混合比にて環境照度（Ｙ）と画面視覚輝度（ＹDSP）とを混合することにより、視聴環境（環境照度、視聴距離）をも考慮して、視聴者がＰＤＰ１０の表示画面を眺めた際に実際に視覚される輝度（Ｌａ）を求めるのである。順応輝度算出回路４１１は、かかる順応輝度Ｌａを補正量設定回路４１２に供給する。
【０１２２】
補正量設定回路４１２は、上記順応輝度Ｌａを、図２４に示す如き所定の変換関数ＣＯＲaに従って、輝度調整ゲイン（後述する）に対する補正量を示す補正量ＰＧCORに変換し、これを輝度調整ゲイン算出回路４１０に供給する。尚、かかる変換関数ＣＯＲaによれば、順応輝度Ｌaが大なるほど補正量ＰＧCORは大きくなる。
【０１２３】
輝度調整ゲイン算出回路４１０は、図２５に示す如きゲイン算出１次関数Ｆに基づき、実質ピーク輝度検出回路４０８から供給された実質ピーク輝度信号ＰＹに対応した輝度調整ゲイン信号ＰＧを算出し、これを輝度調整回路４１３に供給する。上記ゲイン算出１次関数Ｆは、図２５に示す如く、実質ピーク輝度信号ＰＹによって表されるピーク輝度がこのプラズマディスプレイ装置によって表現可能な最大輝度ＰＹMAXと等しくなる場合には、最低の輝度調整ゲイン値（例えば「１」）が得られ、その実質ピーク輝度ＰＹが低くなるにつれ、大なる輝度調整ゲインが得られるような関数である。
【０１２４】
ここで、輝度調整ゲイン算出回路４１０は、上記補正量ＰＧCORによって示される補正量が大なるほど、負の傾きが大なるゲイン算出１次関数Ｆに基づき輝度調整ゲインＰＧの算出を行う。例えば、輝度調整ゲイン算出回路４１０は、補正量ＰＧCORが比較的大なる場合には図２５に示されるゲイン算出１次関数ＦUP、小なる場合には図２５に示されるゲイン算出１次関数ＦDNに基づいて、輝度調整ゲインＰＧの算出を行う。この際、補正量ＰＧCORは、図２４に示すように、順応輝度Ｌaに比例したものである。従って、実質ピーク輝度ＰＹが低くなるほど大なる輝度調整ゲインＰＧが得られると共に、その輝度調整ゲインＰＧは、順応輝度Ｌaが高いほど大きくなるのである。
【０１２５】
変曲点検出回路４０９は、図１１に示す如く、累積演算回路４０７から供給された累積輝度頻度系列ＡＨid3中から予め設定された累積頻度ＨBに対応した輝度レベルを変曲点輝度として検出し、その輝度レベルを示す変曲点輝度信号Ｂを輝度調整回路４１３に供給する。尚、累積頻度ＨBは、最大累積頻度（ｎ・ｍ）のｂ％（ｂ＜ｃ）の値とする。
【０１２６】
輝度調整回路４１３は、画素データＤＤが上記変曲点輝度信号Ｂにて示される輝度レベル以上の輝度レベルを表す場合には、この画素データＤＤによって表される輝度レベルに、上記輝度調整ゲイン信号ＰＧにて示される輝度調整ゲインを乗算する。そして、輝度調整回路４１３は、かかる乗算によって得られた輝度レベルを表す輝度補正画素データＰＤを生成し、これを図２１に示す如きＳＦデータ生成回路３に供給する。尚、輝度調整回路４１３は、画素データＤＤが上記変曲点輝度信号Ｂにて示される輝度レベル未満の輝度レベルを表す場合には、この画素データＤＤをそのまま輝度補正画素データＰＤとしてＳＦデータ生成回路３に供給する。
【０１２７】
以上の如き構成を有する輝度補正回路４００によれば、順応輝度Ｌaに応じて、図９に示される輝度補正回路２００と同様なピークＡＣＬ処理が画素データＤＤに対して施される。すなわち、図２５に示す如く、補正量ＰＧCORが大なるほど、つまり順応輝度Ｌaが高いほど、所定輝度レベル（変曲点輝度信号Ｂにて示される輝度レベル）以上の輝度レベルを表す画素データＤＤに対する輝度調整ゲインＰＧが大きくなる。よって、表示画像が全体的に暗く視覚されてしまうという順応輝度が高い状況では表示画像全体を明るくすべき輝度調整が自動的に施される一方、表示画像が眩しく感じられるという順応輝度が低い状況では表示画像全体を暗くすべき輝度調整が自動的に施されるのである。これにより、鑑賞者の順応輝度に拘わらずに、常に、見やすい表示画像を提供することが可能になる。
【０１２８】
ここで、図２２に示す輝度補正回路４００では、ピークＡＣＬ処理を実施すべく各フレーム毎のピーク輝度を検出するにあたり、１フレーム分の入力映像信号中から最大輝度を直接検出するのではなく、図１１に示す如く、累積輝度頻度系列ＡＨid3中から所定の累積頻度ＨCに対応した輝度レベルＰＹを実質的なピーク輝度として検出するようにしている。すなわち、各フレーム毎に算出された累積輝度頻度系列ＡＨid3中から、最大の累積頻度（ｎ・ｍ）よりも所定値だけ小なる累積頻度ＨCに対応した輝度レベルをピーク輝度として検出するようにしているのである。これは、１フレーム分の入力映像信号中から直接、ピーク輝度を検出した場合に生じる以下の如き不自然な表示状態を防止させる為である。すなわち、字幕やニュース速報等の高輝度なバナー（bunner）が突然画像フレーム内に現れたときに、１フレーム分の入力映像信号中から直接、ピーク輝度を検出すると、このバナー領域での輝度レベルがピーク輝度として検出されることになる。よって、このバナー領域での輝度レベルに対応した輝度調整ゲイン（ＰＧ）にて、1フレーム分の各画素データＤＤに対して輝度調整を施すと、例え時間変化に伴う輝度変化の少ない画像が表示されていても、バナーの表示開始時点及び終了時点で画面全体の輝度レベルが突然変化するという、いわゆる画面のちらつきが生じてしまうのである。
【０１２９】
これに対して、図２２に示す輝度補正回路４００では、累積輝度頻度系列ＡＨid3中から、最大累積頻度よりも所定値だけ小なる累積頻度ＨCに対応した輝度レベルを実質的なピーク輝度としている。すなわち、１フレーム分の入力映像信号（画素データＤＤ）における実際のピーク輝度よりも僅かに小なる輝度レベルが実質的なピーク輝度となり、字幕やニュース速報等が表示されるバナー領域の如き比較的狭い領域での輝度レベルはピーク輝度検出の対象とはならない。よって、このようなバナー領域が突然画面内に現れる場合にも、画面のちらつきを生じさせることなく、ピークＡＣＬ処理を実施することが可能となる。
【０１３０】
又、輝度補正回路４００によるピークＡＣＬ処理では、入力映像信号に基づく各フレーム毎の実質ピーク輝度ＰＹが、プラズマディスプレイ装置において表現可能な最大輝度となるように、各画素データＤＤに対して輝度調整処理がなされる。よって、図１１に示す如き実質ピーク輝度レベルＰＹ〜最大輝度レベル「２５５」の間に含まれる輝度レベルは全て一律に、プラズマディスプレイ装置において表現可能な最大輝度として表現されることになる。これにより、実質ピーク輝度レベルＰＹ〜最大輝度レベル「２５５」の範囲内で表示される画像領域は、「白つぶれ」として表示されてしまうこととなる。この「白つぶれ」は、順応輝度Ｌaが低いほど、鑑賞者に認識されやすく、違和感を生じさせる。そこで、図２２に示される輝度補正回路４００では、図２５に示すように、補正量ＰＧCORが小、つまり順応輝度Ｌaが小なるほど、輝度調整ゲインＰＧを小さくすることにより、この「白つぶれ」の発生を抑制している。一方、順応輝度Ｌaが大なるほど、この「白つぶれ」は認識されにくいので、逆にコントラスト感を高めるべく、輝度調整ゲインＰＧを大きくするのである。
【０１３１】
又、輝度補正回路４００では、入力映像信号（画素データＤＤ）における図１１に示す如き所定の変曲点輝度（Ｂ）以上の輝度レベルをピークＡＣＬ処理の対象としている。よって、頻度が多くなる中間輝度レベルでは入力映像信号によって示される輝度レベルがそのまま維持されるので、全輝度レベルをピークＡＣＬ処理の対象とする場合に比べて、階調再現性を保ちながらもコントラスト感を高めることが可能となる。
【０１３２】
更に、所定の変曲点輝度（Ｂ）以上の一部の高輝度レベルのみを対象としてピークＡＣＬを実行するようにしているので、全輝度レベルをピークＡＣＬ処理の対象とする場合に比べて、高輝度化に伴う消費電力の増加を抑制しながら、コントラスト感を高めることが可能となる。
【０１３３】
又、図２２に示される輝度調整回路４００では、上述したように所定の変曲点輝度（Ｂ）以上の輝度レベルを有する画素データＤＤをピークＡＣＬ処理の対象としたが、全輝度レベルをピークＡＣＬ処理の対象としても良い。又、上述した如き全輝度レベルを対象としたピークＡＣＬ処理を実施するにあたり、輝度調整回路４１３は、図２５に示す如きゲイン算出１次関数Ｆに基づいて算出した輝度調整ゲインＰＧを各画素データＤＤに乗算するのではなく、その値を加算することにより輝度補正画素データＰＤを生成するようにしても良い。
【図面の簡単な説明】
【０１３４】
【図１】本発明に基づくプラズマディスプレイ装置の概略構成を示す図である。
【図２】視聴距離センサ２及び照度センサ２ａの設置箇所の一例を示す図である。
【図３】ＰＤＰ１０を駆動する際の発光駆動シーケンスの一例を示す図である。
【図４】図１に示される輝度補正回路２００の内部構成の一例を示す図である。
【図５】輝度ヒストグラム処理回路２１において生成された輝度ヒストグラムデータＨid1によって表される各輝度レベル毎の頻度の一例を示す図である。
【図６】累積演算回路２２によって生成された累積輝度頻度系列ＡＨid1、及び累積平坦化処理回路２３の動作を表す図である。
【図７】視聴距離Ｌeに対応した平坦化量Ｈisを求める為の変換関数ＣＨの一例を示す図である。
【図８】平坦化処理回路２３の動作を説明する為の図である。
【図９】輝度補正回路２００の内部構成の他の一例を示す図である。
【図１０】輝度ヒストグラム処理回路（２６、３６、４０６）において生成された輝度ヒストグラムデータＨidによって表される各輝度レベル毎の頻度の一例を示す図である。
【図１１】累積演算回路（２７、４０７）によって生成された累積輝度頻度系列ＡＨid3の一例を示す図である。
【図１２】視聴距離Ｌeに対応した補正量ＰＧCORを求める為の変換関数ＣＯＲの一例を示す図である。
【図１３】輝度調整ゲイン算出回路３０の動作を説明する為の図である。
【図１４】輝度補正回路２００の内部構成の他の一例を示す図である。
【図１５】累積演算回路３７によって生成された累積輝度頻度系列ＡＨid4の一例を示す図である。
【図１６】視聴距離Ｌeに対応した補正量ＫＧCORを求める為の変換関数ＣＯＲKの一例を示す図である。
【図１７】輝度調整係数算出回路４０の動作を説明する為の図である。
【図１８】プラズマディスプレイ装置の概略構成の他の一例を示す図である。
【図１９】図１８に示されるプラズマディスプレイ装置における輝度補正回路３００の内部構成を示す図である。
【図２０】視聴距離Ｌeに対応した抑制係数Ｋを求める為の変換関数ＣＯＬの一例を示す図である。
【図２１】プラズマディスプレイ装置の概略構成の他の一例を示す図である。
【図２２】図２１に示されるプラズマディスプレイ装置における輝度補正回路４００の内部構成を示す図である。
【図２３】順応輝度算出回路４１１の動作を説明する為の図である。
【図２４】順応輝度Ｌaに対応した補正量ＰＧCORを求める為の変換関数ＣＯＲaの一例を示す図である。
【図２５】輝度調整ゲイン算出回路４１０の動作を説明する為の図である。
【主要部分の符号の説明】
【０１３５】
２             視聴距離センサ
２ａ           照度センサ
１０           ＰＤＰ
200,300,400    輝度補正回路
【図１】
2009122506.tif 000011
【図２】
2009122506.tif 000012
【図３】
2009122506.tif 000013
【図４】
2009122506.tif 000014
【図５】
2009122506.tif 000015
【図６】
2009122506.tif 000016
【図７】
2009122506.tif 000017
【図８】
2009122506.tif 000018
【図９】
2009122506.tif 000019
【図１０】
2009122506.tif 000020
【図１１】
2009122506.tif 000021
【図１２】
2009122506.tif 000022
【図１３】
2009122506.tif 000023
【図１４】
2009122506.tif 000024
【図１５】
2009122506.tif 000025
【図１６】
2009122506.tif 000026
【図１７】
2009122506.tif 000027
【図１８】
2009122506.tif 000028
【図１９】
2009122506.tif 000029
【図２０】
2009122506.tif 000030
【図２１】
2009122506.tif 000031
【図２２】
2009122506.tif 000032
【図２３】
2009122506.tif 000033
【図２４】
2009122506.tif 000034
【図２５】
2009122506.tif 000035